(57)【要約】【課題】日常の各状況に合わせて容易に装飾具本体を変えることができる、支持体形成具、装飾具支持体、装飾具及び衣服を提供する。【解決手段】本発明の装飾具１Ｂは、ボタンホール６が形成されたウールの生地５と、生地５に両端が結び付けられていると共にボタンホール６の領域にボタンホール６を縦断して配置された透明な第１のアクリル糸２Ａと、脚部９に透明な第２のアクリル糸１０の一端が結び付けられていると共に第２のアクリル糸１０の他端が第１のアクリル糸２Ａに回動可能に結び付けられたドーム型の第１のボタン７と、同じく脚部９に第２のアクリル糸１０の一端が結び付けられていると共に第２のアクリル糸１０の他端が第１のアクリル糸２Ａに回動可能に結び付けられた平坦な円盤型の第２のボタン８とを備えている。【選択図】図２
2007325905.tif 000002
【特許請求の範囲】
【請求項１】
開口部が形成される基体に取り付けられる支持体形成具であって、
前記開口部の領域に配置され、装飾具本体が前記開口部を通過して前記基体の一方の面側から他方の面側に移動可能に取り付けられる支持部材と、
該支持部材に接続されていると共に、前記基体に取り付けられる取付部とを備えた
ことを特徴とする支持体形成具。
【請求項２】
開口部が形成された基体と、
該基体に取り付けられると共に前記開口部の領域に配置され、装飾具本体が前記開口部を通過して前記基体の一方の面側から他方の面側に移動可能に取り付けられる支持部材とを備えた
ことを特徴とする装飾具支持体。
【請求項３】
開口部が形成された基体と、
該基体に取り付けられると共に前記開口部の領域に配置される支持部材と、
前記開口部を通過して前記基体の一方の面側から他方の面側に移動可能に前記支持部材に取り付けられる装飾具本体とを備えた
ことを特徴とする装飾具。
【請求項４】
前記装飾具本体が複数取り付けられる
ことを特徴とする請求項３に記載の装飾具。
【請求項５】
前記装飾具本体が弾性材料で構成された
ことを特徴とする請求項３または請求項４に記載の装飾具。
【請求項６】
前記装飾具本体が前記支持部材に沿って取り付けられる
ことを特徴とする請求項３または請求項４に記載の装飾具。
【請求項７】
前記装飾具本体の少なくとも１つは、平坦な形状を有する
ことを特徴とする請求項３または請求項４に記載の装飾具。
【請求項８】
開口部が形成された基体と、
該基体に取り付けられると共に前記開口部の領域に配置される支持部材と、
前記開口部を通過して前記基体の一方の面側から他方の面側に移動可能に前記支持部材に取り付けられるボタンとを備えた装飾具で構成された
ことを特徴とする衣服。
【発明の詳細な説明】
【技術分野】
【０００１】
本発明は支持体形成具、装飾具支持体、装飾具及び衣服に関する。詳しくは、衣服やカバン等の一部を構成する、支持体形成具、装飾具支持体及び装飾具、並びに装飾具で構成された衣服に係るものである。
【背景技術】
【０００２】
衣服の身頃はボタンによって止められる場合が多いが、１つの衣服に対して１種類のボタンが縫合されているだけであるため、冠婚葬祭の各状況に合わせて自由にボタンを変えることが困難であった。
【０００３】
そこで、自由に衣服のボタンを変えるための様々な技術が提案されている（例えば、特許文献１参照。）。図１１は従来のボタン止め構造を説明する概略図であるが、特許文献１に記載のボタン止め構造は、前立てのボタンホール１０３に対応する数及び間隔のボタン１０９と、裏布１０５の止め孔１０７に対応する係止片１１０とを、１本の紐状部材１１１に連結した構成のボタン列１０８を用い、ボタン列１０８は、先ず最上段の第一ボタン１０９Ａを袋部１０６に挿入し、襟腰１０４内部から第一ボタンホール１０３Ａを介して表に突出させ、他のボタン１０９をボタンホール１０３から右前立て１０２の表側に突出させ、係止片１１０を止め孔１０７に係止することで、ボタン列１０８の右前立て１０２に対する取り付けを完了させている。
【０００４】
【特許文献１】特開２０００−９３２０８号公報
【発明の開示】
【発明が解決しようとする課題】
【０００５】
しかしながら、従来のボタン止め構造では、冠婚葬祭の各状況に合わせてボタンを変える場合、わざわざボタン列を袋部から取り出して別のボタン列を袋部に挿入しなければならず煩雑であり、また、ボタンホール同士の間隔を考慮してボタン列にボタンを配置しなくてはならなかった。
【０００６】
本発明は、以上の点に鑑みて創案されたものであり、日常の各状況に合わせて容易に装飾具本体を変えることができる、支持体形成具、装飾具支持体、装飾具及び衣服を提供することを目的とする。
【課題を解決するための手段】
【０００７】
上記の目的を達成するために、本発明の支持体形成具は、開口部が形成される基体に取り付けられる支持体形成具であって、前記開口部の領域に配置され、装飾具本体が前記開口部を通過して前記基体の一方の面側から他方の面側に移動可能に取り付けられる支持部材と、該支持部材に接続されていると共に、前記基体に取り付けられる取付部とを備えたことを特徴とする。
【０００８】
ここで、装飾具本体が開口部を通過して基体の一方の面側から他方の面側に移動可能に取り付けられる支持部材によって、装飾具本体を変える場合、装飾具本体を取り外して別の装飾具本体を取り付ける必要がなく、装飾具本体を基体の一方の面側から他方の面側に移動させて開口部を通過させるだけで変えることができる。なお、取付部は、開口部が形成された基体または開口部がまだ形成されていない基体のどちらに取り付けられてもよい。
【０００９】
また、上記の目的を達成するために、本発明の装飾具支持体は、開口部が形成された基体と、該基体に取り付けられると共に前記開口部の領域に配置され、装飾具本体が前記開口部を通過して前記基体の一方の面側から他方の面側に移動可能に取り付けられる支持部材とを備えたことを特徴とする。
【００１０】
ここで、装飾具本体が開口部を通過して基体の一方の面側から他方の面側に移動可能に取り付けられる支持部材によって、装飾具本体を変える場合、装飾具本体を取り外して別の装飾具本体を取り付ける必要がなく、装飾具本体を基体の一方の面側から他方の面側に移動させて開口部を通過させるだけで変えることができる。
【００１１】
また、上記の目的を達成するために、本発明の装飾具は、開口部が形成された基体と、該基体に取り付けられると共に前記開口部の領域に配置される支持部材と、前記開口部を通過して前記基体の一方の面側から他方の面側に移動可能に前記支持部材に取り付けられる装飾具本体とを備えたことを特徴とする。
【００１２】
ここで、装飾具本体が、開口部を通過して基体の一方の面側から他方の面側に移動可能に支持部材に取り付けられることによって、装飾具本体を変える場合、装飾具本体を取り外して別の装飾具本体を取り付ける必要がなく、装飾具本体を基体の一方の面側から他方の面側に移動させて開口部を通過させるだけで変えることができる。
【００１３】
また、本発明の装飾具において、装飾具本体が弾性材料で構成された場合、装飾具本体に比して小さい開口部にも、装飾具本体をくぐらせることができる。
【００１４】
更に、本発明の装飾具において、装飾具本体が支持部材に沿って取り付けられる場合、一方の装飾具本体の回動軌道から他方の装飾具本体がずれており回動を妨げることなく、基体の一方の面に複数の装飾具本体を容易に配置させることができる。
【００１５】
また、本発明の装飾具において、装飾具本体の少なくとも１つは、平坦な形状を有する場合、装飾具本体同士がかさばりにくい。
【００１６】
また、上記の目的を達成するために、本発明の衣服は、開口部が形成された基体と、該基体に取り付けられると共に前記開口部の領域に配置される支持部材と、前記開口部を通過して前記基体の一方の面側から他方の面側に移動可能に前記支持部材に取り付けられるボタンとを備えた装飾具で構成されたことを特徴とする。
【００１７】
ここで、ボタンが、開口部を通過して基体の一方の面側から他方の面側に移動可能に支持部材に取り付けられることによって、ボタンを変える場合、ボタンを取り外して別のボタンを取り付ける必要がなく、ボタンを基体の一方の面側から他方の面側に移動させて開口部を通過させるだけで変えることができる。
【発明の効果】
【００１８】
本発明に係る支持体形成具は、日常の各状況に合わせて容易に装飾具本体を変えることができる。
本発明に係る装飾具支持体は、日常の各状況に合わせて容易に装飾具本体を変えることができる。
また、本発明に係る装飾具は、日常の各状況に合わせて容易に装飾具本体を変えることができる。
また、本発明に係る衣服は、日常の各状況に合わせて容易にボタンを変えることができる。
【発明を実施するための最良の形態】
【００１９】
以下、本発明の実施の形態について図面を参照しながら説明し、本発明の理解に供する。
図１は、本発明を適用した支持体形成具の第１の態様（ａ）、第２の態様（ｂ）、第３の態様（ｃ）及び支持体形成具を用いて形成した装飾具支持体の一例（ｄ）をそれぞれ説明する概略図である。図１（ａ）において、本発明の支持体形成具１は、生地に形成されるボタンホールの領域にボタンホールを縦断して配置される透明なアクリル糸（支持部材の一例である。）２と、アクリル糸２の両端に接続されていると共に生地に取り付けられる取付部３とを備えている。また、アクリル糸２には凹部４が形成されている。また、図１（ｂ）に示す態様は、取付部３がアクリル糸２を囲んでいる点以外は、図１（ａ）に示す態様と同じである。
ここで、ボタン等をアクリル糸２に取り付ける糸等を凹部４に巻きつけることによって、アクリル糸２に沿ったボタン等の移動を抑制できる。また、取付部３は、熱に強く透明で柔軟性のある素材で構成されているが、生地に取り付けることができるのであれば、必ずしもこのような素材で構成されていなくてもよい。また、開口部の領域に配置され、装飾具本体が開口部を通過して基体の一方の面側から他方の面側に移動可能に取り付けられるのであれば、必ずしも凹部は形成されなくてもよい。
【００２０】
また、図１（ｃ）に示す態様は、アクリル糸２に凹部が形成されておらず、アクリル糸２の一端にフック２Ｂが形成されており、そしてフック２Ｂに対応するフック孔３Ａが取付部３に形成されている点以外は、図１（ｂ）に示す態様と同じである。このような態様により、フック２Ｂをフック孔３Ａから取り外して、ボタンの脚部等にフック２Ｂが形成された一端を通してボタンをアクリル糸２に取り付け、そしてフック２Ｂをフック孔３Ａに嵌め合わせることができ、容易にボタンの取替えを行うことができる。
また、図１（ｄ）において、本発明の装飾具支持体１Ａは、図１（ｂ）に示す本発明の支持体形成具の取付部３を、ボタンホール６が形成された生地５に取り付けて作製されている。ここで、アクリル糸２はボタンホール６の領域にボタンホール６を縦断して配置されており、ボタンホール６の縁に、かがり部５Ａを形成することによって同時に取付部３を生地５に取り付けている。
【００２１】
図２は、本発明を適用した装飾具の第１の態様を説明する概略図である。図２において、本発明の装飾具１Ｂは、ボタンホール（開口部の一例である。）６が形成されたウールの生地（基体の一例である。）５と、生地５に両端が結び付けられていると共にボタンホール６の領域にボタンホール６を縦断して配置された透明な第１のアクリル糸（支持部材の一例である。）２Ａと、脚部９に透明な第２のアクリル糸１０の一端が結び付けられていると共に第２のアクリル糸１０の他端が第１のアクリル糸２Ａに回動可能に結び付けられたドーム型の第１のボタン（装飾具本体の一例である。）７と、同じく脚部９に第２のアクリル糸１０の一端が結び付けられていると共に第２のアクリル糸１０の他端が第１のアクリル糸２Ａに回動可能に結び付けられた平坦な円盤型の第２のボタン（装飾具本体の一例である。）８とを備えている。
また、第１のボタン７及び第２のボタン８は、ボタンホール６の幅方向の長さよりも大きい直径を有する。また、第１のボタン７及び第２のボタン８はそれぞれゴム（弾性部材の一例である。）で構成されている。
なお、図中、生地５の上面に位置するボタンの脚部及び第２のアクリル糸は省略しており、また、ボタンホール６の縁のかがり部も省略している。
【００２２】
また、ボタンホール６の大きさは、使用するボタンの大きさに合わせて適宜変更される。例えば、弾力性のあるボタンを使用する場合、ボタンホールの縦横の大きさよりも大きいボタンであってもボタンホールをくぐらせることができるが、弾力性のないプラスチック製のボタンを使用する場合は、ボタンホールの長辺の長さよりも短い直径のボタンを使用する。
【００２３】
また、図２（ａ）は、ドーム型の第１のボタン７を生地５の上面に位置させ、円盤型の第２のボタン８を生地５の下面に位置させた状態を示しており、図２（ｂ）は、ドーム型の第１のボタン７及び円盤型の第２のボタン８をそれぞれ回動させてボタンホール６にくぐらせ、円盤型の第２のボタン８を生地５の上面に位置させ、ドーム型の第１のボタン７を生地５の下面に位置させた状態を示している。
【００２４】
ここで、基体に開口部が形成され、支持部材が取り付けられて開口部の領域に配置されるのであれば、基体は必ずしもウール素材でなくてもよく、例えば革素材、綿素材、起毛素材、合成皮革素材、化学繊維素材であってもよい。
また、支持部材が基体に取り付けられると共に開口部の領域に配置されるのであれば、支持部材は必ずしもアクリル糸でなくてもよく、例えば毛糸やワイヤーであってもよいが、アイロンをかけることを考慮して熱に強い部材が好ましく、また、支持部材は必ずしもボタンホールを縦断して（長手方向に沿って）配置されていなくてもよく、例えばボタンホールを横断して（幅方向に沿って）配置されていてもよいし、ボタンホールの対角線に沿って配置されていてもよい。
また、支持部材が基体に取り付けられると共に開口部の領域に配置されるのであれば、支持部材は必ずしも１本の糸でなくてもよく複数本の糸であってもよいし、また、必ずしも糸のような連続した部材でなくてもよく、例えば開口部の両端から突出した部材であってもよい。また、支持部材が基体に取り付けられると共に開口部の領域に配置されるのであれば、必ずしもアクリル糸は透明でなくてもよく、例えばボタンや生地の色に合った色を有するアクリル糸を用いる方が望ましい。
【００２５】
また、支持部材に開口部を通過して基体の一方の面側から他方の面側に移動可能に取り付けられるのであれば、装飾具本体は、必ずしもドーム型や円盤型のボタンでなくてもよく、例えばワッペンやバッチであってもよい。支持部材に開口部を通過して基体の一方の面側から他方の面側に移動可能に取り付けられるのであれば、装飾具本体は、必ずしもゴムで構成されていなくてもよい。
また、支持部材に開口部を通過して基体の一方の面側から他方の面側に移動可能に取り付けられるのであれば、必ずしも装飾具本体は回動可能に支持部材に取り付けられていなくてもよい。
また、支持部材に開口部を通過して基体の一方の面側から他方の面側に移動可能に取り付けられるのであれば、第１のボタンや第２のボタンは必ずしも第２のアクリル糸によって第１のアクリル糸に取り付けられていなくてもよく、第２のアクリル糸を用いずに直接、第１のアクリル糸に取り付けられてもよい。
【００２６】
また、アクリル糸といった同質材料で構成された糸同士を結び付けているので、互いに異質材料で構成された部材例えばアクリル糸と金属ワイヤーとを結びつけるよりも劣化し難い。
また、装飾具本体が、支持部材に開口部を通過して基体の一方の面側から他方の面側に移動可能に取り付けられるのであれば、第２のアクリル糸を、輪の直径を調節できるコードバンドと同様の構成として、ボタンと第１のアクリル糸との間の距離を生地の厚さに合わせて調節できるようにしてもよい。
【００２７】
図３は、本発明の装飾具支持体及び装飾具の作製工程の一例を説明する概略図である。先ず、生地５にボタンホール６が形成され（図３（ａ）参照。）、次に、ボタンホール６の縁に、かがり部５Ａを形成することによって同時に第１のアクリル糸２Ａの両端を生地５に取り付けて、装飾具支持体１Ａを作製する（図３（ｂ）参照。）。そして、第１のアクリル糸２Ａに、第１のボタン７が回動可能に取り付けられて、装飾具１Ｂが作製される（図３（ｃ）参照。）。
【００２８】
図４は、本発明を適用した装飾具の第２の態様を説明する概略図である。図４に示す態様は、本発明の装飾具が、複数の第２のアクリル糸１０の端部がそれぞれ接続されていると共に第２のアクリル糸１０を回転させる回転体１１と、回転体１１と第１のアクリル糸２Ａとを接続する接続部材１２とを備え、第２のボタン８の中央領域が窪んでいる点以外は、図２に示す態様と同じである。
また、第２のアクリル糸１０の端部は着脱可能に回転体１１に接続されており、第１のボタン７及び第２のボタン８をはずして、これら以外の種類のボタンに取替えることができる。
【００２９】
また、図４（ａ）は、ドーム型の第１のボタン７を生地５の上面に位置させ、中央領域が窪んだ円盤型の第２のボタン８を生地５の下面に位置させた状態を示しており、図４（ｂ）は、ドーム型の第１のボタン７及び中央領域が窪んだ円盤型の第２のボタン８をそれぞれ回転体１１によって回動させてボタンホール６にくぐらせ、中央領域が窪んだ円盤型の第２のボタン８を生地５の上面に位置させ、ドーム型の第１のボタン７を生地５の下面に位置させた状態を示している。
【００３０】
図５は、本発明を適用した装飾具の第３の態様を説明する概略図である。図５に示す態様は、本発明の装飾具が、第１のアクリル糸２Ａを通されたボビン１３を備え、第１のボタン７や第２のボタン８が環状の第２のアクリル糸１０によってそれぞれボビン１３に取り付けられ、その結果、第１のアクリル糸２Ａに沿ってそれぞれ取り付けられている点以外は、図２に示す態様と同じである。
ここで、装飾具本体が、開口部を通過して基体の一方の面側から他方の面側に移動可能に支持部材に取り付けられるのであれば、必ずしもボビンを用いなくてもよく、例えば、ボビンの両端に位置するフランジのみを第１のアクリル糸に取り付けてもよい。
【００３１】
また、図５（ａ）は、ドーム型の第１のボタン７を生地５の上面に位置させ、円盤型の第２のボタン８を生地５の下面に位置させた状態を示しており、図５（ｂ）は、円盤型の第２のボタン８を回動させてボタンホール６にくぐらせ、ドーム型の第１のボタン７と円盤型の第２のボタン８をどちらも生地５の一方の面に位置させて２つ並べた状態を示す概略平面図である。
【００３２】
図６は、本発明を適用した装飾具の第４の態様を説明する概略図である。図６に示す態様は、本発明の装飾具が、脚部及び第２のアクリル糸の代わりに連結部材１４によって対向して連結された第１のボタン７及び第２のボタン８を備え、連結部材１４に形成された孔に第１のアクリル糸２Ａが通されて第１のボタン７及び第２のボタン８が一体的に回動可能に第１のアクリル糸２Ａに取り付けられている点以外は、図２に示す態様と同じである。また、弾力のあるボタンならば、ボタンホールを通りやすい。
【００３３】
図７は、ボタンをアクリル糸に取り付ける取り付け工程の一例を説明する概略図である。
一端に第１のフック１０Ｂと他端に第２のフック１０Ｅとを有するアクリル製の紐部材１０Ｃと、アクリル製の本体１０Ｄとを備えた接続具１０Ａを用いて、ボタンを、ボタンホール（図示せず。）の領域に配置されたアクリル糸２に取り付けるが、先ず、紐部材１０Ｃをアクリル糸２に巻き付けると共に、紐部材１０Ｃの一端の第１のフック１０Ｂをボタンの脚部９に通す（図７（ａ）参照。）。
そして、アクリル糸２に巻き付いた紐部材１０Ｃの他端の第２のフック１０Ｅを、本体１０Ｄに形成された孔（図示せず。）に通して第２のフック１０Ｅを本体１０Ｄに引っ掛けると共に、脚部９を通った、紐部材１０Ｃの一端の第１のフック１０Ｂを本体１０Ｄに形成された孔（図示せず。）に通して第１のフック１０Ｂを本体１０Ｄに引っ掛ける（図７（ｂ）参照。）。このような構成により、脚部９とアクリル糸２にそれぞれ接する接続具１０Ａが円滑なので、ボタンが生地の一方の面側から他方の面側に円滑に移動できる。また、ボタンホールの領域に配置されたアクリル糸等に自由にボタン等を取り付けたり、アクリル糸等からボタン等を取り外したりすることができる。また、衣服の布の厚さによって紐部材の長さを変えることができる。
【００３４】
図８は、本発明を適用した装飾具をカバンに適用した例を説明する概略図である。図８（ａ）において、カバン１５の表面には花が描かれた第１のワッペン１６が現れており、図８（ｂ）において、カバン１５の表面には雪の結晶が描かれた第２のワッペン１７が現れているが、これは、本発明の装飾具がカバン１５の表面を構成しているからである。即ち、カバン１５の表面素材である革生地（基体の一例である。）には開口部（図示せず。）が形成されており、アクリル糸（図示せず。支持部材の一例である。）が革生地に結び付けられていると共に開口部（図示せず。）の領域に開口部（図示せず。）を縦断して配置され、第１のワッペン（装飾具本体の一例である。）１６及び第２のワッペン（装飾具本体の一例である。）１７がそれぞれ他の糸（図示せず。）によってアクリル糸（図示せず。）に結び付けられ、アクリル糸（図示せず。）に回動可能に取り付けられている。
このような構成により、図８（ａ）に示す例では、第１のワッペン１６をカバン１５の表面に位置させ、図８（ｂ）に示す例では、第１のワッペン１６及び第２のワッペン１７をそれぞれ回動させて開口部（図示せず。）にくぐらせ、第２のワッペン１７をカバン１５の表面に位置させ、季節に合わせて切り替えている。
なお、ワッペンはボタンに比べて大きいので、安定させるために複数の箇所でアクリル糸に取り付けられるか、または支持部材を囲んだ取付部を備えた支持体形成具を用いるのが好ましい。
【００３５】
図９は、本発明を適用した装飾具をのれんに適用した例を説明する概略図である。図９（ａ）において、のれん１８の表面には、餅をつくウサギの姿が浮かぶ満月が描かれた第１のワッペン１６が現れており、図９（ｂ）において、のれん１８の表面には三日月が描かれた第２のワッペン１７が現れているが、これは、本発明の装飾具がのれん１８の表面を構成しているからである。即ち、のれん１８の表面素材である綿生地（基体の一例である。）には開口部（図示せず。）が形成されており、アクリル糸（図示せず。支持部材の一例である。）が綿生地に結び付けられていると共に開口部（図示せず。）の領域に開口部（図示せず。）を縦断して配置され、第１のワッペン（装飾具本体の一例である。）１６及び第２のワッペン（装飾具本体の一例である。）１７がそれぞれ他の糸（図示せず。）によってアクリル糸（図示せず。）に結び付けられ、アクリル糸（図示せず。）に回動可能に取り付けられている。
【００３６】
図１０は、本発明を適用した装飾具をスーツに適用した例を説明する概略図である。図１０（ａ）において、スーツ１９の襟には、バッチホール２０が形成されており、前身頃には第１のボタンとして黒色のボタン７Ａが適用され、図１０（ｂ）において、バッチホール２０をくぐってバッチ２１が現れていると共に前身頃には第２のボタンとして金色のボタン８Ａがボタンホール（図示せず。）をくぐって現れているが、これは、本発明の装飾具がスーツ１９のバッチホール２０の周辺領域や前身頃領域を構成しているからである。即ち、スーツ１９の素材であるウール生地（基体の一例である。）にはバッチホール（開口部の一例である。）２０やボタンホール（図示せず。）が形成されており、毛糸（図示せず。支持部材の一例である。）がウール生地に結び付けられていると共にバッチホール２０やボタンホール（図示せず。）の領域にバッチホール２０やボタンホール（図示せず。）を縦断して配置され、バッチ（装飾具本体の一例である。）２１、黒色のボタン７Ａ及び金色のボタン８Ａがそれぞれ他の糸（図示せず。）によって毛糸（図示せず。）に結び付けられ、毛糸（図示せず。）に回動可能に取り付けられている。
ここで、図１０（ａ）においては、バッチ２１がウール生地の一方の面即ち襟の裏側に位置しており、バッチ２１が襟の表側に現れていない状態である。
【００３７】
また、リバーシブルの被服に本発明の装飾具を適用した時は、表裏の共の布のくるみボタンを装飾具本体として使用し、時には裏布のボタンを表に出してアクセントをつけることもでき、図５（ｂ）に示すように表に２つのボタンを並べると、可愛らしい雰囲気を醸し出すことができる。
また、裏布と同じ柄の布（ヨーク等）によって、裏側に位置するボタンを覆うことで、衣服の前身頃を開いた際に裏側に位置するボタンが見えなくなり、好ましい。
【００３８】
また、襟元に本発明の装飾具を適用した時は、ブローチを装飾具本体として使用し、装飾性を向上させる。また、複数のボタンを図５（ｂ）に示すように並べて使用する時は、一方のボタンは木製のボタンとして落ち着いた雰囲気にし、他方はダイヤモンド風のボタンとして華やかな雰囲気にすれば効果も大きい。
【００３９】
このように、本発明の装飾具では、複数のボタンやバッチ等の装飾具本体が、開口部の領域に配置される支持部材に開口部を通過して基体の一方の面側から他方の面側に移動可能に取り付けられることによって、装飾具本体を変える場合、装飾具本体を取り外して別の装飾具本体を取り付ける必要がなく、装飾具本体を基体の一方の面側から他方の面側に移動させて開口部を通過させるだけで変えることができ、よって、日常の各状況に合わせて容易に装飾具本体を変えることができる。
また、日常の各状況に合わせてボタン等を容易に変えて衣服等の雰囲気を変えることができるので、一つの衣服等を長く使い続けることができて衣服等を簡単に捨てずに済むと共に、様々な衣服等を購入しなくて済む。
【００４０】
また、装飾具本体がゴムのような弾性材料で構成されているので、装飾具本体に比して小さい開口部にも、装飾具本体をくぐらせることができる。
【００４１】
また、装飾具本体が支持部材に沿って取り付けられているので、一方の装飾具本体の回動軌道から他方の装飾具本体がずれており回動を妨げることなく、基体の一方の面に複数の装飾具本体を容易に配置させることができ、単独の装飾具本体を配置させた場合に比べて装飾性を向上できる。
【００４２】
また、装飾具本体の少なくとも１つは、平坦な形状を有するので、装飾具本体同士がかさばりにくく、また、開口部にくぐらせやすい。
【００４３】
また、透明なアクリル糸を支持部材として用いているので、支持部材が目立たず外観を損なわない。
【図面の簡単な説明】
【００４４】
【図１】本発明を適用した支持体形成具の第１の態様（ａ）、第２の態様（ｂ）、第３の態様（ｃ）及び支持体形成具を用いて形成した装飾具支持体の一例（ｄ）をそれぞれ説明する概略図である。
【図２】本発明を適用した装飾具の第１の態様を説明する概略図である。
【図３】本発明の装飾具支持体及び装飾具の作製工程の一例を説明する概略図である。
【図４】本発明を適用した装飾具の第２の態様を説明する概略図である。
【図５】本発明を適用した装飾具の第３の態様を説明する概略図である。
【図６】本発明を適用した装飾具の第４の態様を説明する概略図である。
【図７】ボタンをアクリル糸に取り付ける取り付け工程の一例を説明する概略図である。
【図８】本発明を適用した装飾具をカバンに適用した例を説明する概略図である。
【図９】本発明を適用した装飾具をのれんに適用した例を説明する概略図である。
【図１０】本発明を適用した装飾具をスーツに適用した例を説明する概略図である。
【図１１】従来のボタン止め構造を説明する概略図である。
【符号の説明】
【００４５】
１    支持体形成具
１Ａ  装飾具支持体
１Ｂ  装飾具
２    アクリル糸
２Ａ  第１のアクリル糸
２Ｂ  フック
３    取付部
３Ａ  フック孔
４    凹部
５    生地
５Ａ  かがり部
６    ボタンホール
７    第１のボタン
７Ａ  黒色のボタン
８    第２のボタン
８Ａ  金色のボタン
９    脚部
１０    第２のアクリル糸
１０Ａ  接続具
１０Ｂ  第１のフック
１０Ｃ  紐部材
１０Ｄ  本体
１０Ｅ  第２のフック
１１    回転体
１２    接続部材
１３    ボビン
１４    連結部材
１５    カバン
１６    第１のワッペン
１７    第２のワッペン
１８    のれん
１９    スーツ
２０    バッチホール
２１    バッチ
【図１】
2007325905.tif 000003
【図２】
2007325905.tif 000004
【図３】
2007325905.tif 000005
【図４】
2007325905.tif 000006
【図５】
2007325905.tif 000007
【図６】
2007325905.tif 000008
【図７】
2007325905.tif 000009
【図８】
2007325905.tif 000010
【図９】
2007325905.tif 000011
【図１０】
2007325905.tif 000012
【図１１】
2007325905.tif 000013